(57)【要約】【課題】折り畳みができるとともに、使用状態において安定した状態とすることができる椅子、特に、幼児用椅子を提供する。【解決手段】椅子Ａにおいて、後ろ側脚部３６は、曲成棒状部１０に対して回動し、座部４０は棒状脚部３０、３２に対して回動する。また、支持部５０は、棒状脚部１２、１６に対して回動するとともに、座部４０の取付け部４４、４６に対して回動する。座部４０における座部本体４２の底部には、掛止部４８が設けられていて、使用状態において支持部５０に掛止するようになっている。椅子Ａの折り畳み時には、棒状脚部１２、１６、３０、３２と座部４０とは平行の状態となる。【選択図】        図２
2004305503.tif 000002
【特許請求の範囲】
【請求項１】
椅子であって、
第１脚部と、該第１脚部に平行に設けられた第２脚部と、該第１脚部に対して回動する第３脚部と、該第２脚部に対して回動し、該第３脚部に平行に設けられた第４脚部と、背もたれ部と、を有する本体部と、
椅子への着座状態において臀部を乗せるための座部であって、該第３脚部と該第４脚部の間の位置に設けられ、該第３脚部と該第４脚部に対して回動する座部と、
第１脚部と第２脚部に対して回動するとともに、座部に対しても回動する支持部であって、使用状態において座部を支持する支持部と、を有することを特徴とする椅子。
【請求項２】
上記座部には、椅子の使用状態において、上記座部を上記支持部に対して固定するための部材である固定部が設けられていることを特徴とする請求項１に記載の椅子。
【請求項３】
上記本体部において、上記第１脚部と上記背もたれ部と上記第２脚部とから構成される第１本体部は、１本の棒状部材を曲成することにより形成された部材を有して一体に形成され、また、上記第３脚部と上記第４脚部とは一体に形成されていることを特徴とする請求項１又は２に記載の椅子。
【請求項４】
椅子であって、
本体部で、
棒状の第１脚部と、該第１脚部に平行に設けられた棒状の第２脚部と、該第１脚部と第２脚部間に設けられた背もたれ部とを有する第１本体部と、
該第１脚部に対して該第１本体部に設けられた回動軸を中心に回動する第３脚部と、該第２脚部に対して該第１本体部に設けられた回動軸で椅子の側面視において該回動軸に対応する回動軸を中心に回動し、該第３脚部に平行に設けられた第４脚部とを有する第２本体部と、を有する本体部と、
座部で、
椅子への着座状態において臀部を乗せるための座部本体と、座部本体の一方の側に設けられた第１取付け部で、該第３脚部に設けられた回動軸を中心に回動する第１取付け部と、座部本体の他方の側に設けられた第２取付け部で、該第４脚部に設けられた回動軸で椅子の側面視において該第３脚部に設けられた回動軸に対応する回動軸を中心に回動する第２取付け部と、を有する座部と、
該第１脚部に設けられた回動軸と、該第２脚部に設けられた回動軸とを中心に回動するとともに、該第１取付け部に設けられた回動軸と、該第２取付け部に設けられた回動軸とを中心に回動する支持部であって、使用状態において座部本体を上方に支持する支持部と、を有し、
該座部本体の底部には、椅子の使用状態において、該座部本体を該支持部に対して固定するための部材である固定部が設けられていることを特徴とする椅子。
【請求項５】
上記第１本体部は、１本の棒状部材を曲成することにより形成された部材を有することを特徴とする請求項４に記載の椅子。
【請求項６】
上記第１本体部において、第１脚部と背もたれ部との境界位置には、第３脚部を軸支するための軸支部が設けられ、また、第２脚部と背もたれ部との境界位置には、第４脚部を軸支するための軸支部が設けられていることを特徴とする請求項４又は５に記載の椅子。
【請求項７】
上記支持部は略コ字状を呈し、該支持部の一方の端部は上記第１取付け部に軸支され、該支持部の他方の端部は上記第２取付け部に軸支されていることを特徴とする請求項１又は２又は３又は４又は５又は６に記載の椅子。
【請求項８】
椅子の折り畳み時には、上記第３脚部と第４脚部は、上記第１脚部と第２脚部に平行になり、また、椅子の側面視において座部は、第１脚部と第２脚部と第３脚部と第４脚部に対して平行となることを特徴とする請求項１又は２又は３又は４又は５又は６又は７に記載の椅子。
【請求項９】
上記第３脚部が上記第１脚部に対して回動する回動軸と上記第４脚部が上記第２脚部に対して回動する回動軸を第１回動軸部とし、上記座部が上記第３脚部と上記第４脚部に対して回動する回動軸を第２回動軸部とし、上記支持部が上記座部に対して回動する回動軸を第３回動軸部とし、上記支持部が上記第１脚部と上記第２脚部に対して回動する回動軸を第４軸部とした場合に、椅子の側面視において、椅子の使用状態では、第２回動軸部と第４回動軸部と第３回動軸部とが直線状に並び、椅子の折り畳み状態では、第１回動軸部と第４回動軸部と第２回動軸部とが直線状に並ぶことを特徴とする請求項１又は２又は３又は４又は５又は６又は７又は８に記載の椅子。
【請求項１０】
上記椅子が幼児用の椅子であることを特徴とする請求項１又は２又は３又は４又は５又は６又は７又は８又は９に記載の椅子。
【発明の詳細な説明】
【０００１】
【発明の属する技術分野】
本発明は、椅子に関するものであり、特に、幼児用椅子に関するものである。
【０００２】
【従来の技術】
従来より、幼児が座るための椅子である幼児用の椅子においては、座面高が低く形成され、背もたれが設けられた椅子が存在する。
【０００３】
また、会議等に使用される椅子で折り畳みができる椅子が存在する。この椅子は、図７に示すように、４本の脚部のうち２本の脚部と背もたれ部とを兼ねる部材である兼用部材１００と、他の２本の脚部を構成する脚部１１０等と、座部１２０とを有する構成であり、該座部１２０が該兼用部材１００に対して回動軸Ｇ１（第１の回動軸）を中心に回動するとともに、該座部１２０が該脚部１１０等に対しても他の回動軸Ｇ２（第２の回動軸）を中心に回動する構成であり、また、該兼用部材１００と脚部１１０等間に連結部材１３０が設けられていて、該連結部材１３０が該兼用部材１００に対して他の回動軸Ｇ３（第３の回動軸）を中心に回動するとともに、該連結部材１３０が該脚部１１０等に対しても他の回動軸Ｇ４（第４の回動軸）を中心に回動する構成となっている。
【０００４】
なお、出願人は、先行技術文献の調査は行っておらず、記載すべき先行技術文献は存在しない。
【０００５】
【発明が解決しようとする課題】
しかし、従来の幼児用の椅子においては、折り畳みができるものが存在せず、保管に際してはスペースを必要とし、また、運搬に際しては運搬作業を困難としていた。
【０００６】
また、折り畳みができる椅子においても、使用状態において安定が悪いという問題があった。
【０００７】
そこで、本発明は、折り畳みができるとともに、使用状態において安定した状態とすることができる椅子、特に、幼児用椅子を提供することを目的とするものである。
【０００８】
【課題を解決するための手段】
本発明は上記問題点を解決するために創作されたものであって、第１には、椅子であって、第１脚部と、該第１脚部に平行に設けられた第２脚部と、該第１脚部に対して回動する第３脚部と、該第２脚部に対して回動し、該第３脚部に平行に設けられた第４脚部と、背もたれ部と、を有する本体部と、椅子への着座状態において臀部を乗せるための座部であって、該第３脚部と該第４脚部の間の位置に設けられ、該第３脚部と該第４脚部に対して回動する座部と、第１脚部と第２脚部に対して回動するとともに、座部に対しても回動する支持部であって、使用状態において座部を支持する支持部と、を有することを特徴とする。
【０００９】
この第１の構成においては、座部が第３脚部と第４脚部に対して回動するとともに、支持部に対しても回動し、また、支持部が第１脚部と第２脚部に対して回動するので、第３脚部を第１脚部側に回動させ第４脚部を第２脚部側に回動させるとともに、座部を支持部や第３脚部及び第４脚部に対して回動させることにより座部を立ち上げることができ、これにより、椅子を折り畳むことができる。これにより、保管や運搬に便利となる。また、椅子の使用状態においては、支持部が座部を上方に支持する状態となるので、座部の安定性が向上される。
【００１０】
また、第２には、上記第１の構成において、上記座部には、椅子の使用状態において、上記座部を上記支持部に対して固定するための部材である固定部が設けられていることを特徴とする。よって、この固定部によって座部が支持部に固定されるので、座部の安定性を向上させることができる。
【００１１】
また、第３には、上記第１又は第２の構成において、上記本体部において、上記第１脚部と上記背もたれ部と上記第２脚部とから構成される第１本体部は、１本の棒状部材を曲成することにより形成された部材を有して一体に形成され、また、上記第３脚部と上記第４脚部とは一体に形成されていることを特徴とする。
【００１２】
また、第４には、椅子であって、本体部で、棒状の第１脚部と、該第１脚部に平行に設けられた棒状の第２脚部と、該第１脚部と第２脚部間に設けられた背もたれ部とを有する第１本体部と、該第１脚部に対して該第１本体部に設けられた回動軸を中心に回動する第３脚部と、該第２脚部に対して該第１本体部に設けられた回動軸で椅子の側面視において該回動軸に対応する回動軸を中心に回動し、該第３脚部に平行に設けられた第４脚部とを有する第２本体部と、を有する本体部と、座部で、椅子への着座状態において臀部を乗せるための座部本体と、座部本体の一方の側に設けられた第１取付け部で、該第３脚部に設けられた回動軸を中心に回動する第１取付け部と、座部本体の他方の側に設けられた第２取付け部で、該第４脚部に設けられた回動軸で椅子の側面視において該第３脚部に設けられた回動軸に対応する回動軸を中心に回動する第２取付け部と、を有する座部と、該第１脚部に設けられた回動軸と、該第２脚部に設けられた回動軸とを中心に回動するとともに、該第１取付け部に設けられた回動軸と、該第２取付け部に設けられた回動軸とを中心に回動する支持部であって、使用状態において座部本体を上方に支持する支持部と、を有し、該座部本体の底部には、椅子の使用状態において、該座部本体を該支持部に対して固定するための部材である固定部が設けられていることを特徴とする。
【００１３】
この第４の構成においては、座部が第３脚部と第４脚部に対して回動するとともに、支持部に対しても回動し、また、支持部が第１脚部と第２脚部に対して回動するので、第３脚部を第１脚部側に回動させ第４脚部を第２脚部側に回動させるとともに、座部を支持部や第２本体部に対して回動させることにより座部を立ち上げることができ、これにより、椅子を折り畳むことができる。これにより、保管や運搬に便利となる。また、椅子の使用状態においては、支持部が座部を上方に支持する状態となるので、座部の安定性が向上される。また、固定部が設けられているので、これにより座部が支持部に固定され、座部の安定性を向上させることができる。
【００１４】
また、第５には、上記第４の構成において、上記第１本体部は、１本の棒状部材を曲成することにより形成された部材を有することを特徴とする。これにより、第１本体部は棒状部材を曲成することにより形成でき、また、第２本体部における第３脚部と第４脚部は棒状部材により形成できるので、結果として、本体部は、棒状部材から形成でき、製造コストを低下させることができる。
【００１５】
また、第６には、上記第４又は第５の構成において、上記第１本体部において、第１脚部と背もたれ部との境界位置には、第３脚部を軸支するための軸支部が設けられ、また、第２脚部と背もたれ部との境界位置には、第４脚部を軸支するための軸支部が設けられていることを特徴とする。
【００１６】
また、第７には、上記第１から第６までのいずれかの構成において、上記支持部は略コ字状を呈し、該支持部の一方の端部は上記第１取付け部に軸支され、該支持部の他方の端部は上記第２取付け部に軸支されていることを特徴とする。
【００１７】
また、第８には、上記第１から第７までのいずれかの構成において、椅子の折り畳み時には、上記第３脚部と第４脚部は、上記第１脚部と第２脚部に平行になり、また、椅子の側面視において座部は、第１脚部と第２脚部と第３脚部と第４脚部に対して平行となることを特徴とする。
【００１８】
また、第９には、上記第１から第８までのいずれかの構成において、上記第３脚部が上記第１脚部に対して回動する回動軸と上記第４脚部が上記第２脚部に対して回動する回動軸を第１回動軸部とし、上記座部が上記第３脚部と上記第４脚部に対して回動する回動軸を第２回動軸部とし、上記支持部が上記座部に対して回動する回動軸を第３回動軸部とし、上記支持部が上記第１脚部と上記第２脚部に対して回動する回動軸を第４軸部とした場合に、椅子の側面視において、椅子の使用状態では、第２回動軸部と第４回動軸部と第３回動軸部とが直線状に並び、椅子の折り畳み状態では、第１回動軸部と第４回動軸部と第２回動軸部とが直線状に並ぶことを特徴とする。
【００１９】
また、第１０には、上記第１から第９までのいずれかの構成において、上記椅子が幼児用の椅子であることを特徴とする。
【００２０】
なお、上記構成において、背もたれ部に弾性部材が設けられているものとしてもよい。
【００２１】
【発明の実施の形態】
本発明の実施の形態としての実施例を図面を利用して説明する。
【００２２】
本発明に基づく椅子Ａは、幼児用の椅子であり、図１〜図６に示すように構成され、曲成棒状部（「曲線状棒状部」としてもよい）（第１本体部）１０と、背もたれ用弾性部１８と、軸支部２０、２２と、棒状脚部３０、３２と、連結棒状部３４と、座部４０と、支持部５０等を有している。以下の椅子Ａの構成の説明に際しては、基本的には、図１、図２のように使用状態の場合を基本として説明する。つまり、特に、正面側（Ｙ１側）、背面側（Ｙ２側）等と言った場合には、図１、図２のように使用状態の場合をもとにして説明する。
【００２３】
ここで、曲成棒状部１０は、１本の直線状の棒状の丸パイプの一部を曲成したものであり、棒状脚部（第１脚部）１２と、湾曲部（背もたれ部）１４と、棒状脚部（第２脚部）１６と、背もたれ用弾性部１８と、軸支部２０、２２を有している。ここで、棒状脚部１２は、直線状の棒状を呈し、椅子Ａの脚部の１つをなすものである。また、湾曲部１４は、該棒状脚部１２の端部から連設され、円弧状に湾曲した形状を呈している。また、棒状脚部１６は、該湾曲部１４の端部から連設され、直線状の棒状を呈し、椅子Ａの脚部の１つをなすものである。この棒状脚部１２と棒状脚部１６とは、互いに平行に設けられていて、曲成棒状部１０は、正面側（つまり、Ｙ１側）及び背面側（つまり、Ｙ２側）から見て左右対称に形成されている。つまり、椅子ＡにおけるＹ１−Ｙ２方向及びＺ１−Ｚ２方向の中心面（以下単に「中心面」とする）を介して左右対称に形成されている。
また、湾曲部１４自体は、図４に示すように、同一平面上に形成された形状を呈しているが、この湾曲部１４は、側面視において、棒状脚部１６に対して所定の角度αだけ傾斜して形成されている。この角度αは、約４０度であるが、これには限られず、例えば、鋭角であればよい。
【００２４】
なお、該曲成棒状部１０の湾曲部１４の位置には、背もたれ用弾性部１８が設けられている。この背もたれ用弾性部１８は、湾曲部１４の所定の領域において該湾曲部１４の表面に管状（筒状としてもよい）に設けられている。この背もたれ用弾性部１８は、ウレタンにより形成されている。この湾曲部１４と背もたれ用弾性部１８とは、使用状態の場合には背もたれとして機能し、一方、折り畳み時には、運搬をする際の把手部としても機能する。
【００２５】
また、該曲成棒状部１０における棒状脚部１２と湾曲部１４との境界位置には、軸支部２０が設けられている。この軸支部２０は、曲成棒状部１０を挿通する挿通穴を有するとともに、棒状脚部３０を回動可能に軸支する構成となっている。なお、この軸支部２０は、合成樹脂により形成され、ネジＮ等の固定部材により曲成棒状部１０に固定されている。なお、軸支部２０を曲成棒状部１０に固定するための固定部材としては、ネジ以外の部材、例えば、リベットを用いてもよい。
【００２６】
また、同様に、該曲成棒状部１０における棒状脚部１６と湾曲部１４との境界位置には、軸支部２２が設けられている。この軸支部２２は、曲成棒状部１０を挿通する挿通穴を有するとともに、棒状脚部３２を回動可能に軸支する構成となっている。なお、この軸支部２２は、ネジＮ等の固定部材により曲成棒状部１０に固定されている。なお、軸支部２２を曲成棒状部１０に固定するための固定部材としては、ネジ以外の部材、例えば、リベットを用いてもよい。
【００２７】
なお、曲成棒状部１０と背もたれ用弾性部１８とを合わせた構成を上記第１本体部としてもよいし、曲成棒状部１０と背もたれ用弾性部１８と軸支部２０、２２とを合わせた構成を上記第１本体部とすることもできる。
【００２８】
また、棒状脚部（第３脚部）３０は、直線状の棒状の丸パイプにより形成され、その端部は、上記軸支部２０に回動可能に軸支されている。つまり、棒状脚部３０の上端付近の側面には穴部が設けられるとともに、軸支部２０の側面にも穴部が設けられ、それらの穴部にリベットを挿着することにより、棒状脚部３０が軸支部２０に軸支されている。なお、リベットは当然その先端をつぶす等してリベットが抜けないようにしている。他のリベットにおいても同様である。
【００２９】
また、棒状脚部（第４脚部）３２は、該棒状脚部３０と同様に、直線状の棒状の丸パイプにより形成され、その端部は、上記軸支部２２に回動可能に軸支されている。つまり、棒状脚部３２の上端付近の側面には穴部が設けられるとともに、軸支部２２の側面にも穴部が設けられ、それらの穴部にリベットが挿通することにより、棒状脚部３２が軸支部２２に軸支されている。
【００３０】
また、連結棒状部３４は、棒状脚部３０と棒状脚部３２間に横方向に設けられ、連結棒状部３４の一方の端部は棒状脚部３０に固定され、他方の端部は棒状脚部３２に固定されている。
【００３１】
これら棒状脚部３０と棒状脚部３２と連結棒状部３４とで、後ろ側脚部（第２本体部）３６が構成される。この後ろ側脚部３６において、棒状脚部３０と棒状脚部３２とは互いに平行に配設されている。この後ろ側脚部３６は、軸支部２０の支点と軸支部２２の支点を中心に一体に回動することになる。なお、この後ろ側脚部３６も、左右対称に形成されているといえる。
【００３２】
なお、棒状脚部１２の下端と棒状脚部１６の下端と棒状脚部３０の下端と棒状脚部３２の下端には、カバー部Ｋが取り付けられている。なお、上記第１本体部を構成する部材と上記第２本体部を構成する部材とで上記本体部が構成される。
【００３３】
次に、座部４０は、座部本体４２と、取付け部４４、４６とを有している。この座部本体４２は、略板状を呈し、平面視において、略方形状を呈し、その側方と後ろ側の辺部は略直線状をなし、前側の辺部は曲線状に丸みを有している。この座部本体４２は、底部に設けられた板部と、該板部上に設けられたスポンジと、該スポンジを被覆するシート材とを有していて、該シート材の周囲は該板部の周囲の位置で固着されている。
【００３４】
また、取付け部（第１取付け部）４４は、主として、棒状脚部３０と支持部５０とを回動自在に軸支するための部材であり、底部取付け部４４ａと、軸支部４４ｂとを有していて、この取付け部４４は、金属製で一体に形成されている。この底部取付け部４４ａは、全体に略板状を呈し、前側（Ｙ１側）の端部付近（すなわち、前側の端部から所定の距離の位置）には、下方に半円状に突出するように湾曲させることにより、突状部４４ａ−１が設けられている。つまり、この突状部４４ａ−１は、板状の部材の一部を湾曲させることにより形成されている。
なお、この突状部４４ａ−１は、使用状態において、座部本体４２を水平に保つためのスペーサ（台部としてもよい）として機能する。また、この底部取付け部４４ａは、座部本体４２の底面における左側方（つまり、Ｘ２側の側方）の辺部に沿ってネジＮにより固定されている。つまり、３つのネジにより固定されている。また、軸支部４４ｂは、板状を呈し、底部取付け部４４ａから下方に垂直でかつ前後方向に設けられている。この軸支部４４ｂには、２つの穴部が設けられ、この２つの穴部は前後方向の所定位置に設けられている。そして、奥側の穴部には、棒状脚部３０の対応位置に設けられた穴部とともにリベットＬ２ａが挿着されることにより、棒状脚部３０と座部４０とが互いに回動自在となるように構成されている。なお、棒状脚部３０と軸支部４４ｂ間には、円管状のスペーサ（図示せず）が設けられていて、このスペーサにリベットＬ２ａが挿通されている。また、正面側の穴部には、支持部５０の端部位置に設けられた穴部とともにリベットＬ４ａが挿着されることにより、座部４０と支持部５０とが互いに回動自在となるように構成されている。
【００３５】
また、取付け部（第２取付け部）４６は、主として、棒状脚部３２と支持部５０とを回動自在に軸支するための部材であり、上記取付け部４４と左右対称に形成されている。つまり、取付け部４６は、底部取付け部４６ａと、軸支部４６ｂとを有していて、この取付け部４６は、金属製で一体に形成されている。この底部取付け部４６ａは、全体に略板状を呈し、前側（Ｙ１側）の端部付近（すなわち、前側の端部から所定の距離の位置）には、下方に半円状に突出するように湾曲させることにより、突状部４６ａ−１が設けられている。つまり、この突状部４６ａ−１は、板状の部材の一部を湾曲させることにより形成されている。なお、この突状部４６ａ−１は、使用状態において、座部本体４２を水平に保つためのスペーサ（台部としてもよい）として機能する。また、この底部取付け部４６ａは、座部本体４２の底面における右側方（つまり、Ｘ１側の側方）の辺部に沿ってネジＮにより固定されている。つまり、３つのネジにより固定されている。
また、軸支部４６ｂは、板状を呈し、底部取付け部４６ａから下方に垂直でかつ前後方向に設けられている。この軸支部４６ｂには、２つの穴部が設けられ、この２つの穴部は前後方向の所定位置に設けられている。そして、奥側の穴部には、棒状脚部３２の対応位置に設けられた穴部とともにリベットＬ２ｂが挿着されることにより、棒状脚部３２と座部４０とが互いに回動自在となるように構成されている。なお、棒状脚部３２と軸支部４６ｂ間には、円管状のスペーサＳ（図１、図２参照）が設けられていて、このスペーサＳにリベットＬ２ｂが挿通されている。また、正面側の穴部には、支持部５０の端部位置に設けられた穴部とともにリベットＬ４ｂが挿着されることにより、座部４０と支持部５０とが互いに回動自在となるように構成されている。
【００３６】
つまり、取付け部４４は、座部本体４２の両側における一方の側（側部としてもよい）（具体的には、座部本体４２の底面における一方の側部）に取り付けられていて、取付け部４６は、座部本体４２の他方の側（側部としてもよい）（具体的には、座部本体４２の底面における他方の側部）に取り付けられているといえる。
【００３７】
また、座部本体４２の底面には、掛止部（固定部）４８が設けられている。この掛止部４８は、使用状態の場合に、支持部５０の第２部材５４（後述）に掛止するものであり、一部が開口したリング状を呈し、合成樹脂により形成されていて所定の弾性を有していて、該掛止部４８をその開口側を支持部５０に向けて押し込むことにより嵌合し、掛止部４８が支持部５０に嵌合した状態で座部４０を支持部５０に対して所定以上の力で引き上げると嵌合が解除されるようになっている。つまり、掛止部４８は、支持部５０に対して着脱自在となっている。
【００３８】
また、支持部（「連結部」としてもよい）５０は、棒状部材を略コ字状（「コ字状」としてもよい）に形成したものであり、丸パイプにより形成されている。
つまり、支持部５０は、棒状を呈する第１部材５２と、棒状を呈する第２部材５４と、棒状を呈する第３部材５６とを有し、該第２部材５４は、該第１部材５２に連設され該第１部材５２とは直角方向に設けられている。また、該第３部材５６は、該第２部材５４に連設され該第２部材５４とは直角方向でかつ第１部材５２とは平行に設けられている。
【００３９】
なお、この支持部５０の端部は、座部４０に対して回動自在に軸着されている。つまり、第１部材５２における第２部材５４が連設されている側とは反対側の端部（つまり、第１部材５２の背面側の端部）付近（つまり、端部から所定距離の位置）には、穴部が設けられ、軸支部４４ｂの正面側に設けられた穴部とともにリベットＬ４ａが挿着されていて、さらに、第３部材５６における第２部材５４が連設されている側とは反対側の端部（つまり、第３部材５６の背面側の端部）付近（つまり、端部から所定距離の位置）には、穴部が設けられ、軸支部４６ｂの正面側に設けられた穴部とともにリベットＬ４ｂが挿着されていて、よって、座部４０と支持部５０とが互いに回動自在となるように構成されている。
【００４０】
また、この支持部５０は、曲成棒状部１０に対しても回動自在に軸着されている。つまり、第１部材５２における第２部材５４が連設されている側の端部（つまり、第１部材５２の正面側の端部）付近（つまり、端部から所定距離の位置）には、穴部が設けられ、棒状脚部１２の側面の所定位置（具体的には、略中間位置（「中間位置」としてもよい））に設けられた穴部とともにリベットＬ３ａが挿着されていて、さらに、第３部材５６における第２部材５４が連設されている側の端部（つまり、第３部材５６の正面側の端部）付近（つまり、端部から所定距離の位置）には、穴部が設けられ、棒状脚部１６の側面の所定位置（具体的には、略中間位置（「中間位置」としてもよい））に設けられた穴部とともにリベットＬ３ｂが挿着されていて、よって、曲成棒状部１０と支持部５０とが互いに回動自在となるように構成されている。なお、棒状脚部１２と支持部５０間及び棒状脚部１６と支持部５０間には、円管状のスペーサＳ（図１、図２参照）が設けられていて、棒状脚部１２と支持部５０間のスペーサＳにリベットＬ３ａが挿通され、棒状脚部１６と支持部５０間のスペーサＳにリベットＬ３ｂが挿通されている。
【００４１】
なお、リベットＬ１ａ、Ｌ１ｂを中心として回動する回動軸を第１回動軸部（第１支点としてもよい）とし、リベットＬ２ａ、Ｌ２ｂを中心として回動する回動軸を第２回動軸部（第２支点としてもよい）とし、リベットＬ３ａ、Ｌ３ｂを中心として回動する回動軸を第３回動軸部（第３支点としてもよい）とし、リベットＬ４ａ、Ｌ４ｂを中心として回動する回動軸を第４回動軸部（第４支点としてもよい）とする場合に、椅子Ａにおける使用状態の場合（つまり、上記掛止部４８が支持部５０に嵌合した状態の場合）には、図４に示すように、第２回動軸部と第４回動軸部と第３回動軸部とが直線状に配置され、また、第２回動軸部と第３回動軸部間の距離Ｊ３が、第２回動軸部と第４回動軸部間の距離Ｊ２と第４回動軸部と第３回動軸部間の距離Ｊ１との和となるように構成され、また、椅子Ａを折り畳んだ場合には、図６に示すように、第１回動軸部と第４回動軸部と第２回動軸部とが直線状に配置され、また、第１回動軸部と第２回動軸部間の距離Ｊ１３が、第１回動軸部と第４回動軸部間の距離Ｊ１１と第４回動軸部と第２回動軸部間の距離Ｊ１２との和となるように構成される。また、椅子Ａは上記のように構成されているので、全体に左右対称に構成されているといえる。
【００４２】
上記構成の椅子Ａの使用状態について説明する。図１、図２、図４に示すように、椅子Ａが使用状態となっている場合には、座部４０に腰掛けて使用する。つまり、座部４０に臀部を置いて座る。そして、曲成棒状部１０における湾曲部１４や背もたれ用弾性部１８は、背もたれとして機能するので、もたれかかることができる。特に、座部４０は掛止部４８により支持部５０に掛止された状態でロックできるので、使用状態の形態を強く維持でき、椅子Ａに座った状態で椅子Ａがぐらついたり不安定となることがない。さらに、図１、図２、図４に示す使用状態の場合には、座部４０は、第２回動軸部と第４回動軸部とで支持されているとともに、座部本体４２が支持部５０の上に支持された状態となる（すなわち、支持部５０が座部本体４２を上方に支持した状態となる）ので、座部４０に座った者を強固に支持することができ、椅子Ａに座った状態で椅子Ａがぐらついたり不安定となることがない。
【００４３】
また、椅子Ａに座った状態で、棒状脚部１２、１６の上部、つまり、棒状脚部１２、１６における座部本体４２よりも上の部分につかまることにより、椅子Ａに座った状態から立ち上がる際に立ち上がり動作を容易とすることができる。
【００４４】
次に、椅子Ａを使用状態から折り畳み状態にするには、座部４０の正面側（手前側）を支持部５０から放すように持ち上げて、掛止部４８の掛止状態を解除する。そして、座部４０の正面側をそのまま上方に引き上げると、棒状脚部３０が棒状脚部１２に対して閉じる方向に回動するとともに棒状脚部３２が棒状脚部１６に対して閉じる方向に回動し、また、支持部５０も立ち上がっていく。折り畳み動作の途中では、図５に示すような状態となる。そして、図３、図６に示すように、棒状脚部１２、１６と、後ろ側脚部３６と、座部本体４２とが側面視において縦方向に平行に整列した状態となり、折り畳まれた状態となる。支持部５０も縦方向に立ち上がった状態となる。なお、折り畳み動作としては、一方の手で湾曲部１４の部分をつかみながら、他方の手で座部４０を立ち上げるようにするのが好ましい。このように折り畳んだ状態とすることができるので、狭いスペースで保管することができ、持ち運びも容易となる。特に、この折り畳んだ状態で湾曲部１４を把手として持ち運ぶことが可能となり、持ち運びに便利である。
【００４５】
また、椅子Ａの折り畳み状態から使用状態にするには、上記と逆の動作をする。つまり、座部４０を横方向になるように回動させる。例えば、一方の手で湾曲部１４の部分をつかみながら、他方の手で座部４０の正面側を押し下げていく。
すると、これにより、棒状脚部３０が棒状脚部１２に対して開く方向に回動するとともに棒状脚部３２が棒状脚部１６に対して開く方向に回動し、また、支持部５０も水平方向に回動していく。そして、掛止部４８が支持部５０に触れたら座部本体４２を下方に押し込むと、掛止部４８が支持部５０に掛止した状態でロックされる。以上のようにして折り畳み状態から使用状態にできる。
【００４６】
以上のように、本実施例の椅子Ａにおいては、幼児用の椅子でありながら折り畳むことができるので、保管や運搬に便利である。また、椅子Ａの使用状態において、座部４０は掛止部４８により支持部５０に掛止された状態でロックでき、また、座部本体４２は支持部５０によっても支持された状態となるので、椅子Ａに座った状態で不安定になることがない。
【００４７】
なお、上記の説明において、湾曲部１４は円弧状であるとしたが、人、特に、幼児がもたれるのに支障のない形状であればよい。
【００４８】
また、上記支持部５０は、略コ字状であるとしたが、これには限られず、略口状でもよく、また、掛止部４８に掛止できるのであれば、例えば、板状でもよい。
【００４９】
【発明の効果】
本発明に基づく椅子によれば、椅子を折り畳むことができるので、これにより、保管や運搬に便利となる。特に、幼児用の椅子であっても、折り畳むことが可能となる。また、椅子の使用状態においては、支持部が座部を上方に支持する状態となるので、座部の安定性が向上される。また、固定部が設けられているので、これにより座部が支持部に固定され、座部の安定性を向上させることができる。
【図面の簡単な説明】
【図１】本発明の実施例に基づく椅子の上方斜視図であり、特に、使用状態における上方斜視図である。
【図２】本発明の実施例に基づく椅子の上方斜視図であり、特に、使用状態における下方斜視図である。
【図３】本発明の実施例に基づく椅子の上方斜視図であり、特に、折り畳み状態における上方斜視図である。
【図４】本発明の実施例に基づく椅子の側面図であり、特に、使用状態における側面図である。
【図５】本発明の実施例に基づく椅子の側面図であり、特に、折り畳み動作の途中における側面図である。
【図６】本発明の実施例に基づく椅子の側面図であり、特に、折り畳み状態における側面図である。
【図７】従来の椅子を示す側面図である。
【符号の説明】
Ａ  椅子
１０  曲成棒状部
１２、１６、３０、３２  棒状脚部
１４  湾曲部
１８  背もたれ用弾性部
２０、２２  軸支部
３４  連結棒状部
３６  後ろ側脚部
４０  座部
４２  座部本体
４４、４６  取付け部
４４ａ、４６ａ  底部取付け部
４４ａ−１、４６ａ−１  突状部
４４ｂ、４６ｂ  軸支部
５０  支持部
Ｌ１ａ、Ｌ１ｂ、Ｌ２ａ、Ｌ２ｂ、Ｌ３ａ、Ｌ３ｂ、Ｌ４ａ、Ｌ４ｂ  リベット
【図１】
2004305503.tif 000003
【図２】
2004305503.tif 000004
【図３】
2004305503.tif 000005
【図４】
2004305503.tif 000006
【図５】
2004305503.tif 000007
【図６】
2004305503.tif 000008
【図７】
2004305503.tif 000009